(57)【特許請求の範囲】
【請求項１】
揮散成分を揮散する多数のビーズ状芳香剤を収容した容器本体の内部に空気の通り道を確保して、ビーズ状芳香剤の粒子間の間隙に空気を通過させながら揮散成分を揮散させる芳香剤容器であって、
前記容器本体と、前記容器本体の開口面を覆って当該開口面との間に間隔を保持した状態で配置される正面板を備えるカバー体とからなり、前記正面板を側方に向けて縦置きにした状態で被載置面に載置して用いられるようになっており、
前記容器本体は、前記開口面の開口周縁部から外側に突出して設けられたフランジを備える中空の凹箱部と、該凹箱部に収容される前記多数のビーズ状芳香剤と、前記フランジに接着されて前記開口面を覆って取り付けられる、シート側空気孔が形成された開口面被覆シートとを含んで構成され、且つ前記凹箱部の側周面には、前記開口面の前記シート側空気孔を介して導入又は導出される空気を導出又は導入する箱側空気孔が形成されており、
前記カバー体の前記正面板は、環状に配置された前記容器本体の前記フランジよりも一回り大きな正面形状を備えると共に、載置時に下方に配置される底辺部が、被載置面に当接する載置辺部として機能するようになっており、
前記カバー体は、前記フランジを係止して前記容器本体に着脱可能に装着一体化されることで、前記正面板を、前記開口面との間に間隔を保持した状態で配置させる間隔保持係着部を備えている芳香剤容器。
【請求項２】
前記凹箱部は、角部が弧状に面取りされた略矩形又は略正方形の中空断面形状を備えており、前記正面板は、角部が弧状に面取りされた略矩形又は略正方形の正面形状を備えている請求項１記載の芳香剤容器。
【請求項３】
前記間隔保持係着部は、前記正面板の上部及び下部において裏面側に突出して設けられた、挟込み基台部と、挟込み鉤形部とを有し、前記凹箱部の上辺部及び下辺部の前記フランジを上部及び下部の前記挟込み基台部と前記挟込み鉤形部とによって挟み込んで係着することにより、前記容器本体を、前記カバー体に、前記正面板と前記開口面との間に間隔を保持した状態で装着一体化させる請求項１または２記載の芳香剤容器。
【請求項４】
前記間隔保持係着部は、前記正面板の両側の側辺部から裏面側に延設する挟込み羽根部と、前記正面板の裏面側に突出して設けられる挟込み基台部と、前記正面板の裏面側に延設する受板部とを有し、前記フランジの端部が前記受板部に当接するように、当該フランジを両側の前記挟込み羽根部の間に配置し、当該フランジまたは前記開口面被覆シートと前記挟込み基台部とを接触させることにより、前記容器本体を前記カバー体に、前記正面板と前記開口面との間に間隔を保持した状態で装着一体化させる請求項１または２項記載の芳香剤容器。
【請求項５】
側方に向けた前記正面板の前記載置辺部の裏面側に突出して、液受部が設けられている請求項１〜４の何れか１項記載の芳香剤容器。
【請求項６】
前記正面板は、外側に凸に湾曲する湾曲板となっている請求項１〜５の何れか１項記載の芳香剤容器。
【発明の詳細な説明】
【技術分野】
【０００１】
本発明は、芳香剤容器に関し、特に、揮散成分を揮散しつつ水分を分離しながら収縮する多数のビーズ状芳香剤を収容した芳香剤容器に関する。
【背景技術】
【０００２】
芳香剤、消臭剤等の薬剤を吸収したビーズ状（粒状）のゲルを収容して、揮散成分を揮散させる容器が種々開発されている（例えば、特許文献１参照）。ビーズ状のゲルによる芳香剤、消臭剤等の薬剤（以下「ビーズ状芳香剤」とする）は、一般に揮散成分を揮散しつつ界面活性剤や溶剤等の水分を分離させるものであり、分離した水分が容器の外に漏れ出ないようにする必要がある。このため、ビーズ状芳香剤を収容した容器では、揮散開口を容器の上部（天面部）に設けて揮散成分を揮散させるようになっている。
【先行技術文献】
【特許文献】
【０００３】
【特許文献１】特開２００７−１７５３１０号公報
【発明の概要】
【発明が解決しようとする課題】
【０００４】
ビーズ状芳香剤は、多数積み上げて容器に収容された場合でも、内部の粒子間に間隙が保持された状態となるので、これらの間隙を空気が通過するようにすれば、粒子間の間隙に面したビーズ状芳香剤の揮散面を効率良く利用して、さらに効果的に揮散成分を揮散させることができるものと考えられるが、上記従来のビーズ状芳香剤を用いた芳香剤容器では、容器の天面部にしか揮散開口が形成されていないため、粒子間の間隙を通過する空気の通り道を形成することが難しく、ビーズ状芳香剤の特性を利用してさらに効果的に揮散成分を揮散させることが困難である。
【０００５】
一方、ビーズ状芳香剤の粒子間の間隙を通過する空気の通り道を形成するには、例えば容器の少なくとも２面に空気流通用の開口部を設けて、一方の開口部から容器内に空気を導入すると共に、他方の開口部から空気を導出させるようにすることが考えられるが、単に、空気導入用の開口部と、空気導出用の開口部を設けただけでは、揮散成分の揮散が進みすぎて、例えばビーズ状芳香剤による香りが強くなりすぎたり、香りの持続時間を十分に確保することが困難になる。また、上述のように、ビーズ状芳香剤は、揮散成分を揮散しつつ界面活性剤や溶剤等の水分を分離させるものであるから、分離した水分が容器の外に漏れ出ないようにする必要がある。
【０００６】
本発明は、容器に収容されたビーズ状芳香剤の粒子間の間隙を通過する空気の通り道を形成して、ビーズ状芳香剤から効率良く揮散成分を揮散させることができると共に、揮散成分の揮散を効果的に抑制して、例えば香りの持続時間を十分に確保することのできる芳香剤容器を提供することを目的とする。
【０００７】
なお本明細書中では、芳香剤には、消臭剤及び消臭芳香剤も含むものとする。また、カバー体には、容器本体の全体を収容する箱状の外容器を含まないものとする。
【課題を解決するための手段】
【０００８】
本発明は、揮散成分を揮散する多数のビーズ状芳香剤を収容した容器本体の内部に空気の通り道を確保して、ビーズ状芳香剤の粒子間の間隙に空気を通過させながら揮散成分を揮散させる芳香剤容器であって、前記容器本体と、前記容器本体の開口面を覆って当該開口面との間に間隔を保持した状態で配置される正面板を備えるカバー体とからなり、前記容器本体は、前記開口面の開口周縁部から外側に突出して設けられたフランジを備える中空の凹箱部と、該凹箱部に収容される前記多数のビーズ状芳香剤と、前記フランジに接着されて前記開口面を覆って取り付けられる、シート側空気孔が形成された開口面被覆シートとを含んで構成され、且つ前記凹箱部の側周面には、前記開口面の前記シート側空気孔を介して導入又は導出される空気を導出又は導入する箱側空気孔が形成されており、前記カバー体は、前記フランジを係止して前記容器本体に着脱可能に装着一体化されることで、前記正面板を、前記開口面との間に間隔を保持した状態で配置させる間隔保持係着部を備えている芳香剤容器を提供することにより、上記目的を達成したものである。
【発明の効果】
【０００９】
本発明の芳香剤容器によれば、容器に収容されたビーズ状芳香剤の粒子間の間隙を通過する空気の通り道を形成して、ビーズ状芳香剤から効率良く揮散成分を揮散させることができると共に、揮散成分の揮散を効果的に抑制して、例えば香りの持続時間を十分に確保することができる。
【図面の簡単な説明】
【００１０】
【図１】本発明の好ましい第１実施形態に係る芳香剤容器の、（ａ）は斜め前方から見た斜視図、（ｂ）は斜め後方から見た斜視図である。
【図２】本発明の好ましい第１実施形態に係る芳香剤容器を被載置面に載置した状態の側面図である。
【図３】（ａ）は容器本体の構成を説明する分解斜視図、（ｂ）は容器本体の斜視図である。
【図４】カバー体を斜め後方から見た斜視図である。
【図５】本発明の好ましい第２実施形態に係る芳香剤容器の、（ａ）は斜め前方から見た斜視図、（ｂ）は斜め後方から見た斜視図である。
【図６】カバー体を斜め後方から見た斜視図である。
【図７】本発明の好ましい第２実施形態に係る芳香剤容器を、カバー体を透視した状態で示す側面図である。
【発明を実施するための形態】
【００１１】
本発明は、揮散成分を揮散する多数のビーズ状芳香剤を収容した容器本体の内部に空気の通り道を確保して、ビーズ状芳香剤の粒子間の間隙に空気を通過させながら揮散成分を揮散させる芳香剤容器であって、前記容器本体と、前記容器本体の開口面を覆って当該開口面との間に間隔を保持した状態で配置される正面板を備えるカバー体とからなり、前記正面板を側方に向けて縦置きにした状態で被載置面に載置して用いられるようになっており、前記容器本体は、前記開口面の開口周縁部から外側に突出して設けられたフランジを備える中空の凹箱部と、該凹箱部に収容される前記多数のビーズ状芳香剤と、前記フランジに接着されて前記開口面を覆って取り付けられる、シート側空気孔が形成された開口面被覆シートとを含んで構成され、且つ前記凹箱部の側周面には、前記開口面の前記シート側空気孔を介して導入又は導出される空気を導出又は導入する箱側空気孔が形成されており、前記カバー体の前記正面板は、環状に配置された前記容器本体の前記フランジよりも一回り大きな正面形状を備えると共に、載置時に下方に配置される底辺部が、被載置面に当接する載置辺部として機能するようになっており、前記カバー体は、前記フランジを係止して前記容器本体に着脱可能に装着一体化されることで、前記正面板を、前記開口面との間に間隔を保持した状態で配置させる間隔保持係着部を備えている芳香剤容器を提供することにより、上記目的を達成したものである。
【００１２】
すなわち、本第１実施形態の芳香剤容器１０は、図１（ａ），（ｂ）及び図２に示すように、揮散成分を揮散しつつ、場合によっては水分を分離しながら収縮する多数のビーズ状芳香剤１２（図３（ａ）参照）を収容した容器本体１１の内部に空気の通り道を確保して、ビーズ状芳香剤１２の粒子間の間隙に空気を通過させながら揮散成分を揮散させる容器であって、容器本体１１と、容器本体１１の開口面１１ａの全体を覆って当該開口面１１ａとの間に間隔を保持した状態で配置される正面板１７を備えるカバー体１４とからなる。
【００１３】
容器本体１１は、図３（ａ），（ｂ）に示すように、開口面１１ａの開口周縁部から外側に突出して設けられた帯状のフランジ１８を備える中空の凹箱部１３と、凹箱部１３に収容される多数のビーズ状芳香剤１２と、フランジ１８に接着されて開口面１１ａを覆って取り付けられる、多数のシート側空気孔１５が形成された開口面被覆シート１９とを含んで構成され、且つ凹箱部１３の側周面による容器本体１１の側周面１１ｂには、開口面１１ａのシート側空気孔１５を介して導入又は導出される空気を導出又は導入する箱側空気孔１６が形成されている。
【００１４】
カバー体１４は、図１（ｂ）、図２、及び図４に示すように、凹箱部１３のフランジ１８に係止して容器本体１１に当該カバー体１４が着脱可能に装着一体化されることで、正面板１７を、開口面１１ａとの間に間隔２１（図２参照）を保持した状態で配置させる間隔保持係着部２０を備えている。またカバー体１４は、被載置面５０に当接させ得る載置辺部２２を備えている。芳香剤容器１０は、この載置辺部２２及び凹箱部１３の底部周縁部１３ｂに支持させて、正面板１７を側方（斜め側方も含む）に向けると共に箱側空気孔１６を上部に配置した状態で、例えば、棚、テーブル、床、等の被載置面５０に載置して用いることが可能となっており、正面板１７の側方及び又は上方に形成された外気連通口２３を介して例えば正面板１７の裏側に流入した空気を、開口面１１ａのシート側空気孔１５を介して容器本体１１の内部に導入可能とするように、前記容器本体の内部と外部とが連通している。
【００１５】
以下説明の便宜上、空気の流れ方向を、好ましくは開口面１１ａのシート側空気孔１５から容器本体１１の内部に空気を導入し、ビーズ状芳香剤１２の粒子間の間隙を通過させて容器本体１１の側周面１１ｂに形成された箱側空気孔１６から空気を導出する方向とするが、本発明の芳香剤容器１０は、周囲の環境により、空気の流れ方向がシート側空気孔１５から箱側空気孔１６に向う方向とは逆の方向となる場合もある。
【００１６】
また、本第１実施形態では、間隔保持係着部２０は、正面板１７の上部及び下部において裏面側に突出して設けられた、挟込み基台部２４ａ，２４ｂと、挟込み鉤形部２５ａ，２５ｂとを含んで構成されており、凹箱部１３の上辺部及び下辺部のフランジ１８を上部及び下部の挟込み基台部２４ａ，２４ｂと挟込み鉤形部２５ａ，２５ｂとによって各々挟み込んで係着することにより、容器本体１１を、カバー体１４に、正面板１７と開口面１１ａとの間に間隔２１を保持した状態で装着一体化させるようになっている。
【００１７】
本第１実施形態では、容器本体１１の凹箱部１３は、図３（ａ），（ｂ）に示すように、好ましくは合成樹脂製の成形品であって、角部が弧状に面取りされた略正方形の中空断面形状を備える箱状に形成される。また凹箱部１３は、角部が弧状に面取りされた略正方形の底面部１３ｃと、底部周縁部１３ｂから上方に連続して立設する４方の側面部１３ａとからなり、これらの４方の側面部１３ａによって、容器本体１１の側周面１１ｂが構成される。これらの側面部１３ａは、角部が弧状に面取りされた凹箱部１３の角部が弧状に面取りされた略正方形の中空断面形状の、当該弧状の角部に沿って立設する湾曲接続部１３ｄを介して一体として接続する。これらの側面部１３ａは、湾曲接続部１３ｄと共に上方に向けて外側にやや傾いた状態で立設している。これらの側面部１３ａ及び湾曲接続部１３ｄの上端のフランジ１８によって縁取りされた凹箱部１３（容器本体１１）の上端開口面は、フランジ１８に好ましくは多数のシート側空気孔１５が形成された開口面被覆シート１９が貼着されることにより覆われる。
【００１８】
また、本第１実施形態では、容器本体の側周面１１ｂを構成する凹箱部１３の４方の側面部１３ａのうちの、使用時に上部に配置される側面部１３ａには、好ましくは複数の箱側空気孔１６が開口形成されている。箱側空気孔１６は、複数設ける必要は必ずしも無く、１箇所にのみ設けることもできる。箱側空気孔１６は、芳香剤容器１０が使用される前は、例えば当該箱側空気孔１６を覆って合成樹脂製の貼着シート（図示せず）を剥離可能に貼り付けておくことで、容易に閉塞しておくことができる。この貼着シートを芳香剤容器１０の使用時に引き剥がすことによって、箱側空気孔１６を開放することができる。さらに、本第１実施形態では、箱側空気孔１６が開口形成された側面部１３ａと対向する下部の側面部１３ａにおける、底面部１３ｃとの角部に位置する底部周縁部１３ｂが、正面板１７の載置辺部２２と共に、芳香剤容器１０を被載置面５０に安定した状態で載置させるための載置部を構成する。
【００１９】
容器本体１１の開口面１１ａを覆って取り付けられる開口面被覆シート１９は、図３（ａ），（ｂ）に示すように、例えば合成樹脂製の透明なシート材料からなり、ビーズ状芳香剤１２の外形よりも相当程度小さな開口幅を有するシート側空気孔１５が、好ましくは開口面１１ａを覆う領域に分散配置されて多数開口形成されている。開口面被覆シート１９は、接着剤等を介してまたはヒートシールを施すことによって、周縁部が凹箱部１３のフランジ１８に強固に接着固定されると共に、芳香剤容器１０が使用される前は、例えば当該開口面被覆シート１９を覆って合成樹脂製の貼着シート（図示せず）を剥離可能に貼り付けておくことで、容易にシート側空気孔１５を閉塞しておくことがでる。この貼着シートを芳香剤容器１０の使用時に引き剥がすことによって、シート側空気孔１５を開放することができる。
【００２０】
本第１実施形態では、カバー体１４は、図１、図２、及び図４に示すように、例えば合成樹脂製の成形品であって、角部が弧状に面取りされた略正方形の環状に配置された容器本体１１のフランジ１８よりも一回り大きな、平面視して角部が弧状に面取りされた略正方形の正面形状を備える正面板１７と、正面板１７の裏面側に一体として設けられた、間隔保持係着部２０を構成する挟込み基台部２４ａ，２４ｂと、挟込み鉤形部２５ａ，２５ｂと、液受部２６とを含んで構成される。本第１実施形態では、正面板１７は、芳香剤容器１０の載置時における縦方向の断面が、外側に向けて弧状に凸に湾曲する湾曲板となっており、また載置時に下方に配置される底辺部が、載置辺部２２として機能して、凹箱部１３の底部周縁部１３ｂと共に、芳香剤容器１０を被載置面５０に安定した状態で載置させるための載置部を構成する。
【００２１】
前述のように、正面板１７を外側に向けて弧状に凸に湾曲する湾曲板とすることで、開口面１１ａと正面板１７との間の間隔２１を不必要に大きくすることなく、外気連通口２３における外気が連通する為に必要な面積を確保することができる。また、芳香剤容器の意匠性も向上させることができる。
【００２２】
なお、前記間隔２１は芳香剤容器１０の仕様によって適宜決めることができるが、本実施形態では、正面板１７を湾曲板とすることで間隔２１の最大間隔を５ｍｍ〜１５ｍｍ程度としている。
【００２３】
本第１実施形態では、上述のように、正面板１７の裏面側の上部及び下部に、上部挟込み基台部２４ａ及び上部挟込み鉤形部２５ａと、下部挟込み基台部２４ｂ及び下部挟込み鉤形部２５ｂとが、上下に配置された間隔保持係着部２０として設けられている。
【００２４】
上部挟込み基台部２４ａは、例えば略台形形状の凸リブからなり、上部挟込み鉤形部２５ａを挟んでこれの両側に一対配置される。上部挟込み鉤形部２５ａは、天板部２７ａと天板部２７ａの先端から下方に折れ曲った係止部２７ｂとからなるＬ字断面形状を備えており、両側の上部挟込み基台部２４ａの間の部分に配置される。上部挟込み基台部２４ａと上部挟込み鉤形部２５ａの係止部２７ｂとの間にフランジ１８の上縁部を挟み込んで係止、係着することにより、上部挟込み基台部２４ａをスペーサーとして機能させて、容器本体１１の開口面１１ａと正面板１７との間に間隔２１を保持した状態で、カバー体１４を容器本体１１に装着させることが可能になる。
【００２５】
下部挟込み基台部２４ｂは、例えば４半円形状の凸リブからなり、下部挟込み鉤形部２５ｂの両側端部を液溜め壁２８で仕切って形成した液受部２６の内部に配置されて、一対設けられている。下部挟込み鉤形部２５ｂは、底板部２９ａと底板部２９ａの先端から上方に折れ曲った係止部２９ｂとからなるＬ字断面形状を備えており、フランジ１８によって縁取りされた容器本体１１の下辺の長さよりも長い領域に亘って、横方向に延設して設けられている。下部挟込み基台部２４ｂと下部挟込み鉤形部２５ｂの係止部２９ｂとの間にフランジ１８の下縁部を挟み込んで係止することにより、下部挟込み基台部２４ｂをスペーサーとして機能させて、容器本体１１の開口面１１ａと正面板１７との間に間隔２１を保持した状態で、カバー体１４を容器本体１１に装着させることが可能になる。
【００２６】
また、本第１実施形態では、下部挟込み鉤形部２５ｂの両側端部を液溜め壁２８によって仕切ることにより、正面板１７の載置辺部２２の裏面側に突出して、液受部２６が設けられている。正面板１７の載置辺部２２の裏面側に液受部２６が設けられていることにより、例えばビーズ状芳香剤２２から分離した水分が、縦置きされた容器本体１１の開口面１１ａのシート側空気孔１５を介して開口面被覆シート１９の表面側に漏れ出た場合でも、開口面被覆シート１９の表面に沿って流下する水分を液受部２６によって、ビーズ状芳香剤２２から分離した水分が外部に漏出するのを効果的に回避することが可能になる。
【００２７】
本第１実施形態では、例えばカバー体１４の正面板１７や間隔保持係着部２０を弾性変形させつつ、カバー体１４の裏面に沿って容器本体１１のフランジ１８を横方向にスライド移動させたり、或いは下辺部のフランジ１８を下部の間隔保持係着部２０の下部挟込み基台部２４ｂと下部挟込み鉤形部２５ｂとの間に係止した後に、上辺部のフランジ１８を上部の間隔保持係着部２０の上部挟込み基台部２４ａと上部挟込み鉤形部２５ａとの間に係止する方法によって、カバー体１４を着脱可能に容易に容器本体１１に装着することができる。
【００２８】
そして、本第１実施形態の芳香剤容器１０によれば、容器に収容されたビーズ状芳香剤１２の粒子間の間隙を通過する空気の通り道を形成して、ビーズ状芳香剤１２から効率良く揮散成分を揮散させることが可能になると共に、揮散成分の揮散を効果的に抑制して、例えば香りの持続時間を十分に確保することが可能になる。
【００２９】
すなわち、本第１実施形態によれば、芳香剤容器１０は、縦置きされた状態で横方向を向いた容器本体１１の開口面１１ａのシート側空気孔１５と、上部に配置された容器本体１１の側周面１１ｂの箱側空気孔１６とによって、容器本体１１の内部に空気を容易に通過させることが可能になるので、容器本体１１に収容されたビーズ状芳香剤１２の粒子間の間隙を通過する空気の通り道を容易に形成して、ビーズ状芳香剤１２から効率良く揮散成分を揮散させることが可能になる。
【００３０】
また、本第１実施形態によれば、容器本体１１の開口面１１ａを覆って当該開口面１１ａとの間に間隔を保持した状態で、正面板１７が配置されている。正面板１７は、開口面１１ａを覆って配置されることで、開口面１１ａに向かう気流を遮蔽したり、制限したりして前記揮散成分揮散を制御できるものと考えられる。これによって、例えば容器本体１１の開口面１１ａに向う空気の流れを正面板１７によって遮断して、シート側空気孔１５から直接的に勢い良く空気が容器本体１１の内部に導入されるのを回避できると共に、正面板１７の側方及び又は上方に形成された外気連通口２３を介して正面板１７の裏側に回り込むようにして、間接的に流入した勢いの衰えた空気のみを、開口面１１ａのシート側空気孔１５から容器本体１１の内部に導入できるようになっているので、例えばビーズ状芳香剤１２による香りが強くなりすぎたり、香りの持続時間を十分に確保できなくなるのを効果的に回避することが可能になる。
【００３１】
さらに、本第１実施形態によれば、容器本体１１の開口面１１ａを覆う開口面被覆シート１９に形成されたシート側空気孔１５のうち、縦置きした状態で最も下側に配置されるシート側空気孔１５よりも下方の部分が、ビーズ状芳香剤１２から分離した水分を液溜めする液溜り部として機能するので、ビーズ状芳香剤１２から分離した水分が容器本体１１の外に漏れ出るのを効果的に回避することが可能になる。
【００３２】
さらにまた、本第１実施形態によれば、カバー体１４の正面板１７の大きな表面を、デザイン画、広告及び説明書き等を施すための装飾面として有効に利用して、芳香剤容器１０の意匠性を向上させることが可能になる。
【００３３】
また、本第１実施形態によれば、芳香剤容器１０は、容器本体１１と、当該容器本体１１の開口面１１ａを覆って当該開口面１１ａとの間に間隔２１を保持した状態で配置される正面板１７を備えるカバー体１４とを用いて形成されることにより、容器本体１１を覆って収容する、空気孔が適宜設けられている箱状の外容器の使用を不要とすることができ、簡易な構成であるにもかかわらず、容器本体１１に収容されたビーズ状芳香剤１２の粒子間の間隙を通過する空気の通り道を容易に形成して、ビーズ状芳香剤１２から効率良く揮散成分を揮散させることができると共に、揮散成分の揮散を正面板１７によって効果的に抑制して、例えば香りの持続時間を十分に確保することができる。
【００３４】
図５（ａ），（ｂ）は、本発明の好ましい第２実施形態に係る芳香剤容器３０を示すものである。本第２実施形態の芳香剤容器３０は、上記第１実施形態の芳香剤容器１０と略同様の構成を備える一方で、カバー体３１及び間隔保持係着部２０の構成が、上記第１実施形態の芳香剤容器１０と相違している。すなわち、本第２実施形態では、カバー体３１は、図６及び図７にも示すように、正面板３２と、凹箱部１３のフランジ１８を係止して容器本体１１に当該カバー体３１が着脱可能に装着一体化されることで、正面板３２を、開口面１１ａとの間に間隔を保持した状態で配置させる間隔保持係着部２０を備えている。またカバー体３１は、被載置面５０に当接させ得る載置辺部３３を備えている。
【００３５】
また、本第２実施形態では、間隔保持係着部２０は、正面板３２の両側の側辺部から裏面側に延設する挟込み羽根部３４と、正面板３２の裏面側に突出して設けられる挟込み基台部３５と、正面板３２の裏面側に延設する受板部３６とを有し、フランジ１８の端部１８ａが受板部３６に当接するように、フランジ１８を両側の挟込み羽根部３４の間に配置し、フランジ１８または開口面被覆シート１９と挟込み基台部３５とを接触させることにより、容器本体１１をカバー体３１に、正面板３２と開口面１１ａとの間に間隔を保持した状態で装着一体化させるようになっている。
【００３６】
詳細には、間隔保持係着部２０は、正面板３２の両側の側辺部から裏面側に鋭角に折れ曲がって延設する挟込み羽根部３４と、正面板３２の裏面側に突出して縦方向に延設して設けられる縦長の挟込み基台部３５と、正面板３２の載置辺部３３から裏面側に折れ曲がって延設する受板部３６とを含んで構成されており、フランジ１８を両側の挟込み羽根部３４の間に配置して、下部のフランジ１８の端部（下端部）１８ａが受板部３６に当接するまで容器本体１１を上方から落し込み、フランジ１８または開口面被覆シート１９と挟込み基台部３５とを接触させることにより、容器本体１１を、カバー体３１に、挟込み基台部３５をスペーサとして機能させて正面板３２と開口面１１ａとの間に間隔を保持した状態で、装着一体化させるようになっている。
【００３７】
なお、容器本体１１をカバー体３１に装着一体化させた際に、フランジ１８と挟込み羽根部３４の一部分または全体とが接触状態となるように、各部分の寸法を設定することにより、安定した装着状態を得ることが可能になる。
【００３８】
さらに、本第２実施形態では、挟込み羽根部３４の上部には、縦長矩形形状の開口窓３７が外気連通口として開口形成されていると共に、受板部３６の先端縁部から上方に立設して仕切り壁３８を設けることによって、正面板３２の載置辺部３３の裏面側に液受部３９が設けられている。
【００３９】
本第２実施形態の芳香剤容器３０によっても、容器本体１１の開口面１１ａの全体を覆って当該開口面１１ａとの間に間隔を保持した状態で、正面板３２が配置されているので、容器本体１１の開口面１１ａに向う空気の流れを正面板３２によって遮断して、上記第１実施形態の芳香剤容器１０と同様の作用効果が奏される。
【００４０】
なお、本発明は上記各実施形態に限定されることなく種々の変更が可能である。例えば、凹箱部は、角部が弧状に面取りされた略矩形又は略正方形の中空断面形状を備えている必要は必ずしもなく、正面板は、角部が弧状に面取りされた略矩形又は略正方形の正面形状を備えている必要は必ずしもない。台形や半円形等のその他の種々の中空断面形状や正面形状を備えていても良い。また、正面板の載置辺部の裏面側に液受部を設ける必要は必ずしも無く、正面板は、外側に凸に湾曲する湾曲板となっている必要は必ずしもない。開口面との間に間隔を保持できれば、正面板は平坦な板部であっても良い。また上記各実施形態では、芳香剤容器は、容器本体１１の側周面１１ｂに形成された箱側空気孔１６を上方に向けて縦置きにした状態で用いられているが、容器本体１１を横置きして開口面１１ａに形成されたシート側空気孔１５を上方に向けて使用しても良い。
【符号の説明】
【００４１】
１０，３０  芳香剤容器
１１  容器本体
１１ａ  開口面
１１ｂ  側周面
１２  ビーズ状芳香剤
１３  凹箱部
１３ｂ  凹箱部の底部周縁部
１４，３１  カバー体
１５  シート側空気孔
１６  箱側空気孔
１７，３２  正面板
１８  フランジ
１９  開口面被覆シート
２０  間隔保持係着部
２１  正面板と容器本体の開口面との間の間隔
２２，３３  載置辺部
２３  外気連通口
２４ａ，２４ｂ  挟込み基台部
２５ａ，２５ｂ  挟込み鉤形部
２６，３９  液受部
２８  液溜め壁
３４  挟込み羽根部
３５  挟込み基台部
３６  受板部
３７  開口窓
３８  仕切り壁
５０  被載置面
【図１】
0005759184.tif 000002
【図２】
0005759184.tif 000003
【図３】
0005759184.tif 000004
【図４】
0005759184.tif 000005
【図５】
0005759184.tif 000006
【図６】
0005759184.tif 000007
【図７】
0005759184.tif 000008